(57)【要約】      （修正有）【課題】パチンコ遊技機の規定を遵守した状態でパチンコホール内で電力線通信を行うため、パチンコ遊技機へあらゆるデータが送信されないような電力線通信装置（ＰＬＣモデム）を内蔵した台ユニットを提供する。【解決手段】台ユニット１１に電源出力用のコネクターを取り付け、パチンコ台２１への電源の供給に台ユニットを経由させる。台ユニット内にデータカットフィルター１４を設置し、ホールコンピューター１７などからパチンコ遊技機へデータが送信されないようにする。【選択図】図１
0003132954.tif 000002
【実用新案登録請求の範囲】
【請求項１】
パチンコ遊技機１台から送信される遊技に関する情報信号を、電力線通信（ＰＬＣ）を介して遊技場全体の遊技機の情報を処理するホールコンピューターに送信するための装置であって、パチンコ遊技機にデータが送信されない機能を備えたことを特徴とする電力線通信用装置（ＰＬＣモデム）を内蔵した台ユニット。
【考案の詳細な説明】
【技術分野】
【０００１】  本考案は、電力線通信（ＰＬＣ）をパチンコホールにおいて使用するために必要なパチンコ遊技機専用の通信装置（ＰＬＣモデム）を内蔵した台ユニットに関するものである。
【背景技術】
【０００２】  従来のパチンコ遊技機各台とホールコンピューターの通信は、遊技機各台の情報を管理するコンピューター（台ユニット）を介している。台ユニットは、パチンコ遊技機から発信される、大当たり、払い出し、打ち出し、小当たり等の信号や、玉貸出機およびコイン貸出機から送られる売上信号を処理する。パチンコ遊技機や玉貸出機およびコイン貸出機から信号線を伝わり台ユニットへ電流が流れると、台ユニットは流れてきた電流の長さと回数を計測しデジタルデータに変換する。そのデータをホールコンピューターへＬＡＮケーブルを利用して送り、受け取ったホールコンピューターは情報を処理する。
電力線通信（ＰＬＣ）は、電力を供給するために配設されている電力線を利用して情報を伝送するものであり、通信速度が高速である上に、通信線路を新たに敷設する必要がなく設備投資を抑える事が可能であるため、近年、インターネットアクセス用や家庭内のホームネットワークを構築するための通信手段として注目されている。
パチンコ遊技機は、規定により、データの受信は認められず、送信のみ認められるため、通信が一方通行となっている必要がある。パチンコ遊技機とホールコンピューターの通信に、従来の電力線通信装置（ＰＬＣモデム）を利用すると、全ての電力線の中をアナログデータが通過してしまい、パチンコ遊技機へもデータを送信する状態になってしまう。
【考案の開示】
【考案が解決しようとする課題】
【０００３】  そこで、本考案は、このようなパチンコ遊技機の規定を遵守した状態で、パチンコホール内で電力線通信を行うため、パチンコ遊技機へあらゆるデータが送信されないような電力線通信装置（ＰＬＣモデム）を内蔵した台ユニットを提供することを課題とする。
【課題を解決する手段】
【０００４】  電力線通信装置（ＰＬＣモデム）を内蔵した台ユニットに電源出力用のコネクターを取り付け、パチンコ遊技機への電源の供給に台ユニットを経由させる。台ユニット内にデータカットフィルターを設置し、パチンコ遊技機へデータが送信されないようにする。
【考案の効果】
【０００５】  本考案の台ユニットによれば、パチンコ遊技機からのデータは送信できるが、パチンコ遊技機本体の電源コードからはデータカットフィルターの働きにより、データの受信はできないため、規格を遵守した状態でパチンコホール内での電力線通信が可能となる。
【０００６】  本考案の電力線通信装置を使用すると、ホールコンピューターから情報を発信しても、パチンコ遊技機までデータが伝わらないため、ホールコンピューターによるパチンコ遊技機の不正操作を防ぐことができる。
また、パチンコホールの電力線に不正な操作を行った場合も、パチンコ遊技機までデータが伝わらないため、パチンコ遊技機の不正操作や誤作動を防ぐことができる。
また、電力線通信装置（ＰＬＣモデム）を内蔵した台ユニットであるため、従来のようにＬＡＮケーブルで接続するよりも、通信速度が高速である上に配線が簡略化でき、電力線通信装置と台ユニットを別々に設置するよりも低コストで省スペースである。
【考案の実施するための最良の形態】
【０００７】    図１は、パチンコホールでの本考案に係る台ユニット１１の実施例が示されている。
図１に示されるように、パチンコ遊技機２１の遊技データは信号線２３により台ユニット１１へ送信され、玉貸出機およびコイン貸出機２２の売上データは、信号線２４により台ユニット１１へ送信される。台ユニット１１は、内蔵された信号重畳装置１２により、信号をアナログデータに変調し、電力線１５へ送信する。
【０００８】  パチンコ遊技機の遊技データには、玉の打ち出し、玉の払い出し、スタート信号、特賞信号、確率変動信号、小当たり信号などがある。パチンコ遊技機で玉の打ち出しが行われると、パチンコ遊技機から信号が発信され、台ユニットは打ち出し玉数を計測する。パチンコ遊技機で玉の払い出しが行われると、パチンコ遊技機から信号が発信され、台ユニットは玉の払い出し玉数を計測する。打ち出した玉がパチンコ遊技機のスタートチャッカーを通過し、ルーレットが回転を始めた回数をスタート回数といい、その場合、パチンコ遊技機からスタート信号が発信され、台ユニットはスタート回数を計測する。そのほか、パチンコ遊技機によって、大当たり信号、確率変動信号、小当たり信号などが発信され、台ユニットはそれぞれその信号が発信された回数を計測する。
【０００９】  台ユニット１１は、パチンコ遊技機からの接点出力によるパルス信号を、フォトカプラと呼ばれる電子部品により受信する。フォトカプラには１次側（入力）と２次側（出力）ある。１次側はＬＥＤやランプなど電気信号を光に変える素子が入っている。２次側にはフォトトランジスタやＣｂｓなど、光を電気信号に変換する素子が入っている。１次側のＬＥＤが光ると２次側のフォトトランジスタがＯＮしてスイッチの代わりになる。光を媒体とすることで電気的には絶縁しているため、信号がパチンコ遊技機から台ユニットへの一方通行しか伝わらない仕組みになっている。
フォトカプラにより入力されたパルス信号は、台ユニット内の信号変換機によりアナログ信号へ変換され、同じく台ユニット内の信号重畳装置により電力線１５へ出力される。
【００１０】  台ユニット内の信号重畳装置１２から電力線１５に送られたアナログデータは、ホールコンピューター１７へ接続した電力線通信装置（ＰＬＣモデム）１６により抽出され、デジタルデータへと復調される。電力線通信装置（ＰＬＣモデム）１６は、復調されたデータをホールコンピューター１７へ送信し、ホールコンピューター１７は情報を受信し処理する。
【００１１】  ホールコンピューター１７は、ホールに設置してあるそれぞれの台ユニットから、打ち出した玉数や機械が払い出した玉数、スタート回数、大当たりなどデータをすべて集約し、売上、粗利、玉単価などの集計を行う。売上と粗利は、店全体はもちろん各パチンコ遊技機ごと、島ごと、など個別にも計算し、パチンコホールの経営に重要な数値の集計を行う。
【００１２】  パチンコ遊技機２１の電源コード２５は、台ユニット１１の側面に設置された、コネクター１３から供給される。台ユニット１１の内部には、データカットフィルター１４が設置されている。このデータカットフィルター１４を経由することにより、パチンコ遊技機２１にデータが送信できなくなる。
【００１３】  データカットフィルター１４は、台ユニット１１から、パチンコ遊技機２１に送信するデータを打ち消す機能を持つ。
データカットフィルター１４は一般的にフィルタ回路と呼ばれるものである。すなわち、抵抗、コンデンサ、コイル等をそなえ、入力された電気信号に帯域制限をかけたり、特定の周波数成分を取り出したりすることが出来る。台ユニット１１の内部に設置されたデータカットフィルター１４は、電源の周波数である５０Ｈｚおよび６０Ｈｚ以外に制限をかけ、実質的に重畳させずに負荷に供給させることで、パチンコ遊技機２１へ電力は供給されるがデータは伝わらないようにする。
【００１４】  図２は、パチンコホールでの従来の電力線通信装置（ＰＬＣモデム）１８および台ユニット１９を用いた場合の実施例が示されている。もちろん、従来の電力線通信装置を使用しても、データの送受信は問題なく行うことができる。
図２では、パチンコ遊技機の電源コード２６は、直接電力線１５へつないである。従来の電力線通信装置１８および台ユニット１９には、データカットフィルターは備わっていないため、電力線１５の中を流れるデータはすべてパチンコ遊技機２１に送られてしまう。パチンコ遊技機にデータを送信することは行政の規格上認められないものであり、このような使用方法では、パチンコホールでは実用化が不可能といえる。
【００１５】  図３は、実施例の台ユニット１１の図である。
底面には電力線１５と接続するための電源コード２５を有している。外側側面には、パチンコ遊技機の電源コードを差し込むためのコネクター１３を有している。このコネクター１３から、パチンコ遊技機２１に電力を供給する。コネクター１３の内部裏側に接する形でデータカットフィルター１４が取り付けられている。
内部には、遊技機や玉貸出機及びコイン貸出機から信号線を通じて送信されるデジタルデータをアナログデータに変調し、電力線へデータをアナログデータ送信する信号重畳装置１２を備える。
【００１６】    電力線通信装置は、イーサネット信号と電力線通信信号（ＰＬＣ信号）を相互に変換する装置である。一般的には、パソコンなどの機器と電力線通信装置（ＰＬＣモデム）をＬＡＮケーブルで接続し、電源ケーブルをコンセントに挿して使う。電力線通信装置（ＰＬＣモデム）をつないだパソコンがデータを送信すると、そのデータは電力線通信装置（ＰＬＣモデム）から電気配線を経由して相手先の電力線通信装置（ＰＬＣモデム）に伝わり、再びＬＡＮケーブル経由で相手先のパソコンなどの機器に届けられる。
【００１７】  次に、電力線通信装置（ＰＬＣモデム）１１の内部にある、信号重畳装置１２について詳細な説明を行う。
電力線通信装置（ＰＬＣモデム）１１にイーサネット信号として送信されたデータは、まず、イーサネット・チップに入る。イーサネット・チップは、イーサネットの伝送に使われる電気信号を復調し、デジタル信号に戻す。
デジタル信号に復調されたイーサネット信号は、次にＰＬＣチップへと進む。ＰＬＣチップは、取り込んだデジタル信号を電力線通信で扱うアナログの電力線通信信号（ＰＬＣ信号）に変調するための前処理を行う。また、ＰＬＣチップは複数のモデムが混信することなく通信できるように制御する役目も担っている。
ＰＬＣチップの次にＤ／Ａコンバータが、電力線で運ぶためのアナログ信号に変調する。アナログ信号は、さらにアナログ・フロントエンドという部分で波形を整える、ノイズとなる電流を減らす、等の処理が加えられる。Ｄ／Ａコンバータとアナログ・フロントエンドは、アナログ処理の回路を行い、電力線通信信号（ＰＬＣ信号）とノイズを選り分け、受信したアナログの電力線通信信号（ＰＬＣ信号）の波形を送信側が送り出したときの波形に近づけるための処理を行う。
電力線通信信号（ＰＬＣ信号）は次に電源基板に進む。ＰＬＣ基板との受け渡し役であるパルス・トランスが、電力線通信信号（ＰＬＣ信号）を電源基板に送る。パルス・トランスは、受信した信号の中から電力線通信信号（ＰＬＣ信号）のみを取り出す、または注入するための部品である。こうしてアナログの電力線通信信号（ＰＬＣ信号）は、信号重畳装置１２により、電源基板の回路から電源プラグを通って電力線１５へと送り出される。
【００１８】    パチンコ遊技機１台と接続できるもののほか、２台まで接続できる台ユニット３１（図４）も含む。パチンコ遊技機２台につき台ユニット１台を設置しているパチンコホールでは、２台まで接続できるものを使用するほうが実用的であるため、２台接続も可能な、コネクターを２つ供えた台ユニット３１も用意する。図４に示されるように、この台ユニット３１は、コネクター３２、３３を備えている。コネクター３２にパチンコ遊技機１台を接続し、さらにコネクター３３にパチンコ遊技機をもう１台接続し、２台のパチンコ遊技機に電源を供給する。
【図面の簡単な説明】
【００１９】
【図１】  実施例のパチンコ遊技機と台ユニット、ホールコンピューターの図
【図２】  従来のＰＬＣモデム利用時のパチンコ遊技機とＰＬＣモデム及び台ユニット、ホールコンピューターの図
【図３】  実施例の台ユニットの正面図
【図４】  パチンコ遊技機２台と接続できる台ユニットの正面図
【符号の説明】
【００２０】１１  本考案の台ユニット
１２  信号重畳装置
１３  コネクター
１４  データカットフィルター
１５  電力線
１６  電力線通信装置（ＰＬＣモデム）
１７  ホールコンピューター
１８  従来の電力線通信装置（ＰＬＣモデム）
１９  従来の台ユニット
２１  パチンコ遊技機
２２  玉貸出機、コイン貸出機
２３  信号線
２４  信号線
２５  パチンコ遊技機の電源コード
２６  パチンコ遊技機の電源コード
３１  本考案の台ユニット
３２  コネクター
３３  コネクター
【図１】
0003132954.tif 000003
【図２】
0003132954.tif 000004
【図３】
0003132954.tif 000005
【図４】
0003132954.tif 000006